(57)【要約】【課題】組織ブロックの厚みが薄くても作製可能であり、組織の硬度の影響も少なく、且つ、組織アレイチップとしたときに、組織片や関心部位が欠損することがなく、分散した領域から組織片を採取可能であり、組織片内の位置と組織ブロック内の位置との対応付けも可能で、組織片採取後の組織ブロックの利用に対する影響も少ない組織アレイブロック作製方法、組織アレイシート作製方法、組織アレイブロック、組織アレイチップ、組織アレイブロック作製機構、組織アレイシート作製機構を提案する。【解決手段】組織ブロックＢ１をスライスしてロール状の組織片ｔ２を作製し、ロール状の組織片ｔ２を基体ブロックＢ２に挿入して組織アレイブロックＢ３とする。組織アレイブロックＢ３をスライスして組織アレイシートＳ１とし、基板上にマウントして組織アレイチップＣ１とする。組織アレイチップＣ１上の組織片はスパイラル形状となる。【選択図】  図１
2008108410.tif 000002
【特許請求の範囲】
【請求項１】
組織ブロックをスライスしてロール形状の組織片を得るスライス工程と、当該ロール形状の組織片を基体ブロックに配列する空孔に軸方向で挿入する挿入工程とを備えることを特徴とする組織アレイブロック作製方法。
【請求項２】
組織ブロックをスライスしてシート状の組織片を得るスライス工程と、当該シート状の組織片を巻き回してロール形状に成形する成形工程と、当該ロール形状の組織片を基体ブロックに配列する空孔に軸方向で挿入する挿入工程とを備えることを特徴とする組織アレイブロック作製方法。
【請求項３】
前記挿入工程より前、又は、前記挿入工程より後に、当該ロール形状の組織片を軸方向に所定の長さとなるように切断する工程を備えることを特徴とする請求項１又は請求項２記載の組織アレイブロック作製方法。
【請求項４】
請求項１乃至請求項３のいずれか一項に記載の組織アレイブロック作製方法により作製された組織アレイブロックを、前記空孔に挿入された組織片の断面がスパイラル形状となる方向でスライスする工程を備えることを特徴とする組織アレイシート作製方法。
【請求項５】
基体ブロックに複数の組織片を保持する組織アレイブロックにおいて、
前記組織片はロール形状であることを特徴とする組織アレイブロック。
【請求項６】
基板上に複数の組織片が配列する組織アレイチップにおいて、
前記組織片はスパイラル形状であることを特徴とする組織アレイチップ。
【請求項７】
組織ブロックをスライスしてロール形状の組織片を得るスライス手段と、当該ロール形状の組織片を設定された位置で切断可能な切断手段と、当該ロール形状の組織片を基体ブロックに配列する空孔に軸方向で挿入する挿入手段とを備えることを特徴とする組織アレイブロック作製機構。
【請求項８】
請求項７記載の組織アレイブロック作製機構と、当該組織アレイブロック作製機構により作製された組織アレイブロックを組織片の断面がスパイラル形状となる方向でスライスするスライス手段を備えることを特徴とする組織アレイシート作製機構。
【発明の詳細な説明】
【技術分野】
【０００１】
本発明は、生体組織の検査や分析に用いられる組織アレイチップを作製するための組織アレイブロック作製方法、組織アレイシート作製方法、組織アレイブロック、組織アレイチップ、組織アレイブロック作製機構、及び、組織アレイシート作製機構に関する。
【背景技術】
【０００２】
従来から、生体組織の検査や解析には、基板上に組織片を配列した組織アレイチップが用いられている。組織アレイチップは、被検物質を特異的に染色する染色液を塗布等することにより、病変組織の有無の検査、遺伝子や蛋白質の解析、スクリーニングなどに用いられる。【０００３】
この組織アレイチップは、次のように作製される。図１１は、従来の組織アレイチップ作製方法を説明する説明図である。（ａ）生体組織をブロック化した組織ブロックをパンチングしてコアを採取する。(ｂ)採取したコアを、基体ブロックにアレイ状に設けられた空孔に挿入する。(ｃ)各空孔にコアが挿入された基体ブロックの表面を数μｍオーダーでスライスし、組織片が配列する組織アレイシートを作製する。（ｄ）組織アレイシートを基板にマウントして組織アレイチップを作製する。（ｃ）（ｄ）は繰り返し行われて複数枚の組織アレイチップが作製される。【０００４】
組織アレイチップの作製に用いられる組織アレイブロックは、パンチング機構を備える装置により作製される。特許文献１には、基体ブロック用のパンチと組織ブロック用のパンチを備え、基体ブロック用のパンチで基体ブロックに空孔を形成し、組織ブロック用のパンチで組織ブロックをパンチングしてコアを採取し、採取したコアを基体ブロックの空孔に挿入する装置が開示されている。
【特許文献１】特開２００４−２１５６６７号公報
【発明の開示】
【発明が解決しようとする課題】
【０００５】
しかしながら、上記従来の技術は、下記の（１）から（７）の問題を有していた。（１）組織ブロックの大きさは様々であり、採取した当初から厚みが薄い場合がある。さらに、組織ブロックは、検査や解析の過程において何度も削り取られながら使用され、徐々に厚みが薄くなる。このため、組織アレイチップを作製するに際して、十分な長さのコアが得られない場合があり、作製可能な数量が極端に少なくなったり、まったく作製できなかったりという事態が生じていた。【０００６】
（２）組織ブロックは、組織の種類によって硬度が異なる。このため、組織の硬度によっては、パンチを挿入してもコアが抜けなかったり、パンチが損傷したりする事態が生じていた。かかる組織ブロックからパンチングにより安定してコアを採取するには、非常に熟練した技術が必要であった。【０００７】
（３）図１２（ａ）は、パラフィン包埋組織ブロックを例としたときの、採取されるコアを説明する組織ブロックの模式断面図であり、（ｂ）はそのコアを埋め込んだ組織アレイブロックの模式断面図であり、（ｃ）はその組織アレイブロックから作製される組織アレイチップの模式平面図である。（ａ）に示すように、組織ブロックは不定形であるため、複数の組織ブロックから採取したコアや、一つの組織ブロックの異なる箇所から採取したコアは、含まれる組織ｔ部分の長さが不揃いである。このため、組織アレイブロックをスライスして組織アレイチップを作製すると、例えば（ｂ）（ｃ）に示すように、スライスする位置が表層付近Ｌ１の場合はすべてのコアに組織ｔが出現するが、Ｌ２のような深い位置では組織ｔが出現しないコアがあり、スライスする位置によっては組織片が欠損するという事態が生じていた。【０００８】
（４）病変組織等の関心部位ａを標的として組織アレイチップに含める場合は、組織ブロック中の関心部位ａを特定し、選択的にコアを採取する。図１３（ａ）は関心部位ａを標的とするときに採取されるコアを説明する組織ブロックの模式断面図であり、（ｂ）はそのコアを埋め込んだ組織アレイブロックの模式断面図であり、（ｃ）はその組織アレイブロックから作られる組織アレイチップの模式平面図である。（ａ）に示すように、組織ブロックに含まれる関心部位ａは不定形であり、コアの表層には含まれていても、下層には含まれていない場合がある。このため、組織アレイブロックをスライスして組織アレイチップを作製すると、例えば（ｂ）（ｃ）に示すようにスライスする位置が表層付近Ｌ１である場合はすべてのコアに関心部位ａが含まれるが、Ｌ２のような下層付近になると関心部位ａが含まれていない場合があり、スライスする位置によっては関心部位ａが欠損するという事態が生じていた。【０００９】
（５）病変組織等の関心領域の有無を検査するに際しては、信頼性や解析精度の観点から、より分散した領域からコアを採取することが好ましい。しかしながら、パンチングによる方法では、採取されるコアが組織ブロックの局所的な部分に限られるため、検査の信頼性や解析精度に限界があった。【００１０】
（６）組織アレイチップ上のコア又は組織ブロックのいずれか一方に関心部位ａが含まれる場合、他方の対応箇所（図中矢印ｅ）を特定したいという要望がある。図１４は、組織アレイチップ上のコアに含まれる関心部位ａと組織ブロック表面の関心部位ａとの対応関係を説明する説明図である。コアは組織ブロックから採取してしまうと、コア内の位置（図中関心領域ａ）と組織ブロック内の位置（図中矢印ｅ）との対応付けが困難となり、関心領域ａの対応箇所を特定するのは非常に困難な状況にあった。【００１１】
（７）組織ブロックをパンチングしてコアを採取すると、組織ブロックにてコア採取箇所の組織が欠損する。一方で、組織ブロックはコア採取後も様々な検査や解析に用いられる。このため、コア採取後の検査や解析にて組織ブロックを用いる場合は、採取箇所の組織は二度と用いることができず、特に採取箇所に重要部位が含まれていた場合はその影響も大きい。【００１２】
そこで本発明はこのような実情に鑑みて提案されるものであり、組織ブロックの厚みが薄い場合でも作製可能であり、組織の硬度の影響も少なく、且つ、組織アレイチップとしたときに、組織片や関心部位が欠損することがなく、従来よりも分散した領域から組織片を採取可能であり、組織片内の位置と組織ブロック内の位置との対応付けも可能で、組織片採取後の組織ブロックの利用に対する影響も少ない組織アレイブロック作製方法、組織アレイシート作製方法、組織アレイブロック、組織アレイチップ、及び、それに用いられる組織アレイブロック作製機構、組織アレイシート作製機構を提案することを目的とする。
【課題を解決するための手段】
【００１３】
本発明の組織アレイブロック作製方法は、組織ブロックをスライスしてロール形状の組織片を得るスライス工程と、当該ロール形状の組織片を基体ブロックに配列する空孔に軸方向で挿入する挿入工程とを備えることを特徴とする。また、本発明の組織アレイブロック作製方法は、組織ブロックをスライスしてシート状の組織片を得るスライス工程と、当該シート状の組織片を巻き回してロール形状に成形する成形工程と、当該ロール形状の組織片を基体ブロックに配列する空孔に軸方向で挿入する挿入工程とを備えることを特徴とする。ここで、組織ブロックは、パラフィン包埋組織ブロックや凍結組織ブロックなどであり、スライスして上記組織片を得ることが可能な組織ブロックであれば良い。また、シート状の組織片は、組織ブロック表面全体をスライスしたものでも良いし、組織ブロックに含まれる病変組織等の一部分のみをスライスしたものでも良い。【００１４】
この発明によれば、組織ブロックをスライスして作られるロール形状の組織片を用いるため、作製されるロール形状の組織片の最大長を組織ブロックの幅と同等にできる。これにより、たとえ組織ブロックの厚みが薄くても、組織ブロックの幅が確保されていれば、十分な長さの組織片を作製することができ、相当数の組織アレイチップを作製することが可能となる。組織ブロックの表面をスライスするので、一点に力を集中させるパンチングと比較して必要な力も小さくて済み、組織の硬度による影響も少ない。組織ブロック表面から少量の組織を満遍なく採取するため、組織片採取後の組織ブロックの利用に対する影響も小さい。【００１５】
前記挿入工程より前、又は、前記挿入工程より後に、当該ロール形状の組織片を軸方向に所定の長さで切断する工程を備えることが好ましい。【００１６】
この発明によれば、ロール形状の組織片が軸方向に所定の長さで切断された後に、その切断後の組織片が基体ブロックの空孔に挿入されるか、又は、ロール形状の組織片が基体ブロックに配列する空孔に軸方向で挿入された後に所定の長さに切断されて、組織アレイブロックが作製される。したがって、いずれの方法によっても組織アレイブロックに配列する組織片は所定の長さに揃えられた状態となる。さらに、関心領域のみから成るロール形状の組織片を挿入することも可能である。また、組織片を薄くスライスして埋め込むため、パンチングにより円柱状のコアを採取する場合と比較して、組織ブロックからの組織採取量に対する組織アレイチップの作製枚数を増加させることができる。【００１７】
本発明の組織アレイシート作製方法は、前記組織アレイブロック作製方法により作製された組織アレイブロックを、前記空孔に挿入された組織片の断面がスパイラル形状となる方向でスライスする工程を備えることを特徴とする。【００１８】
この発明によれば、前記方法により作製された組織アレイブロックを、前記空孔に挿入された組織片の断面がスパイラル形状となる方向でスライスして組織アレイシートを作製するため、組織アレイブロックのいずれの位置をスライスしても、作製される組織アレイシートに組織や関心部位の欠損が生じることがない。組織アレイシートに配列するスパイラル形状の各組織片は、組織ブロックの表面を巻き回し方向で縦断する領域から採取したものとなり、パンチングにより一点から採取されるコアと比較して、非常に拡散した範囲から採取されたものとなる。組織アレイシートの組織片と、組織ブロックとの対応関係を把握しておけば、組織アレイシートの組織片が、組織ブロックのいずれの位置から採取されたかを特定することが可能である。さらに、組織片内の位置と組織ブロック内の位置の対応付けも可能である。【００１９】
本発明の組織アレイブロックは、基体ブロックに複数の組織片を保持する組織アレイブロックにおいて、前記組織片はロール形状であることを特徴とする。【００２０】
この発明によれば、ロール形状の組織片が用いられるため、たとえ組織ブロックの厚みが薄くても、組織ブロックをスライスして作製可能である。ロール形状の組織片の長さを調整することで、保持される組織片の長さを揃えることも可能である。【００２１】
本発明の組織アレイチップは、基板上に複数の組織片が配列する組織アレイチップにおいて、前記組織片はスパイラル（螺線）形状であることを特徴とする。【００２２】
この発明によれば、スパイラル（螺線）形状の組織片は、スパイラルの始点から終点に相当する分散した領域から採取されたものとなる。【００２３】
本発明の組織片作製機構は、組織ブロックをスライスしてシート状の組織片を得るスライス手段と、スライス手段により得られたシート状の組織片を巻き回してロール形状に成形するロール成形手段とを備えることを特徴とする。【００２４】
この発明によれば、スライス手段により組織ブロックがスライスされてシート状の組織片が作成され、そのシート状の組織片はロール成形手段により巻き回されてロール形状に成形されるため、組織ブロックからロール形状の組織片を作製することができる。【００２５】
本発明の組織アレイブロック作製機構は、組織ブロックをスライスしてロール形状の組織片を得るスライス手段と、当該ロール形状の組織片を設定された位置で切断可能な切断手段と、当該ロール形状の組織片を基体ブロックに配列する空孔に軸方向で挿入する挿入手段とを備えることを特徴とする。【００２６】
この組織アレイブロック作製機構は、切断手段によるロール形状の組織片の切断位置が設定可能となっている。たとえば、切断手段による切断位置を、ロール形状の組織片を軸方向に所定の長さで切断する位置に設定し、切断手段によりロール形状の組織片を所定の長さに切断した後に、挿入手段により組織片を基体ブロックの空孔に挿入することにより、本発明の組織アレイブロックが作製される。または、切断手段により第１回目の切断位置による切断を実施し、ロール形状の組織片の一端を切り落として揃え、その後に、挿入手段によりロール形状の組織片を一端側から空孔に挿入する。そして、切断手段による第２回目の切断を実施して、挿入された状態の組織片を所定の長さに切断する。これにより、本発明の組織アレイブロックが作製される。切断位置の制御は、センサ等により位置を検知することで行われても良いし、マイクロコンピュータに予め記憶されている動作により行われても良いし、手動により行われても良い。【００２７】
本発明の組織アレイシート作製機構は、前記組織アレイブロック作製機構と、当該組織アレイブロック作製機構により作製された組織アレイブロックを組織片の断面がスパイラル形状となる方向でスライスするスライス手段を備えることを特徴とする。【００２８】
この発明によれば、前記組織アレイブロック作製機構により組織アレイブロックが作製され、その組織アレイブロックはスライス手段により組織片の断面がスパイラル（螺線）形状となる方向でスライス可能であるため、スパイラル形状の組織片が配列する組織アレイシートが作製できる。
【発明の効果】
【００２９】
本発明の組織片作製方法によれば、組織ブロックの空孔に挿入する組織片の最大長を組織ブロックの幅と同等にできるため、たとえ組織ブロックの厚みが当初から薄かったり、検査や解析の過程にて残存組織の厚みが薄くなってしまった場合でも、組織ブロックの幅が十分であれば、相当数の組織アレイチップを作製することができる。組織片の作製は組織ブロックの表面をスライスすることにより行うため、一点に力を集中させるパンチングと比較して組織の硬度による影響も少ない。組織の硬さによって微妙な力加減が必要なパンチングと比較して熟練技術も不要であり、比較的簡単な作業で組織片を作製することができる。【００３０】
また、本発明の組織アレイブロック作製方法によれば、ロール形状の組織片を所定の長さに切断するため、組織アレイブロックに配列する組織片の長さを揃えることができる。関心領域のみから成るロール形状の組織片を挿入することも可能である。シート状の組織片をロール形状として埋め込むため、従来のパンチングと比較して、組織ブロックからの組織採取量に対する組織アレイチップの作製枚数を増加させることができる。【００３１】
本発明の組織アレイシート作製方法によれば、組織ブロックに保持される組織片の長さが揃えられているため、組織アレイブロックのいずれの位置をスライスしても、作製される組織アレイシートに組織や関心部位の欠損が生じることがない。これにより、検査や解析に支障をきたす事態が防止され、組織アレイチップ作製の歩留まりも向上する。組織アレイシートに配列するスパイラル形状の各組織片は、組織ブロックの表面を巻き回し方向に縦断する分散した領域から採取したものとなり、検査の信頼性や解析精度が高まる。組織アレイシートの組織片と、切断後の組織片と、切断前の組織片と、組織ブロックとの対応関係を把握しておけば、組織アレイシートの組織片が、組織ブロックのいずれの位置から採取されたかを特定することが可能である。さらに、組織片内の位置と組織ブロック内の位置の対応付けが可能であり、組織ブロック内又は組織片内のいずれか一方に関心部位が発見された場合は、他方における関心部位の位置を特定することができる。【００３２】
本発明の組織アレイブロックによれば、組織ブロックをスライスして得られたシート状の組織片を用いることで作製可能である。この組織ブロックを用いれば、たとえ組織ブロックの厚みが薄くても、相当数の組織アレイチップを作製できる。ロール形状の組織片の長さを調整することで、保持される組織片の長さを揃えることが可能であり、組織片や関心部位の欠損のない組織アレイチップが作製される。【００３３】
本発明の組織アレイチップによれば、スパイラル形状の組織片は、スパイラルの始点から終点に相当する分散した領域から採取されたものとなる。これにより、パンチングにより偏った領域から採取されるコアを用いる場合と比較して、癌組織の有無等の病理検査における信頼性を高め、且つ、病片組織内のヘテロジナイティをカバーして解析精度を高めることができる。【００３４】
本発明の組織アレイブロック作製機構によれば、ロール形状の組織片を作製して組織ブロックに挿入することができ、本発明の組織アレイブロックを作製することができる。本発明の組織アレイシート作製機構によれば、本発明の製作方法を用いて、スパイラル形状の組織が配列する組織アレイシートを作製することができる。そして、この組織アレイシートを用いれば、本発明の組織アレイチップを作製することができる。
【発明を実施するための最良の形態】
【００３５】
以下、本実施の形態の組織片作製方法Ｐ１、組織アレイブロック作製方法Ｐ２（Ｐ２−１，Ｐ２−２）、組織アレイブロックＢ３、組織アレイシート作製方法Ｐ３、組織アレイチップＣ１について詳細に説明する。組織ブロックＢ１は、例えばパラフィン包埋組織ブロックや凍結組織ブロック等であり、シート状にスライス可能であれば限定はされない。本実施の形態では、パラフィンの中央付近に包埋された組織ブロックＢ１を例に説明するが、凍結組織を用いた場合も同様である。【００３６】
（組織片作製方法）
以下に、組織片作製方法Ｐ１として、第１の方法と第２の方法を示す。【００３７】
第１の方法
スライス工程において、組織ブロックＢ１をスライスし、シート状の組織片ｔ１が巻き回ってロール形状となった組織片ｔ２を作製する（図１（ａ）（ｂ））。詳しくは、組織ブロックＢ１の表面を周辺のパラフィンと共にカッター等のスライス手段でスライスする。スライスするとほぼ同時にシート状となった部分が表面を内側にして巻き回り（図１（ａ））、スライスが完了した時点ではロール形状となっている（図１（ｂ））。組織ブロックを薄くスライスすると、スライスした部分は逐次表面を内側にして湾曲し、そのままスライスを継続することで巻き回ってロール形状となることは、従来から知られている。これは、この性質を利用したものである。組織片ｔ２は中心軸が中空であり略円筒形状をしているが、組織の集積度を高めるために密に巻き回す工程を付加しても良い。なお、ここでロール形状とは、シート状の組織片ｔ１の一端を軸とするように丸めた形状をいい、組織片ｔ２の全体に渡って軸と直交する断面がスパイラル（螺線）形状であることが好ましいが、少なくとも一部において断面スパイラル形状であれば良い。【００３８】
また、組織片ｔ１の厚みは、乾燥などにより自然と巻き回ってロール形状となる厚みであれば、特に制限されないが、通常、組織片ｔ１は２００μｍ以下（０μｍは含まず）、好ましくは３０μｍ〜２００μｍ、更に好ましくは５０μｍ〜１００μｍである。組織片ｔ１が２００μｍより厚い場合はひび割れが生じて形状が損なわれる場合があり、また、組織片ｔ１が３０μｍに満たない場合は、スライス時に破損が生じたり、組織アレイチップとしたときに検査等の容易性が損なわれることがある。【００３９】
第２の方法
スライス工程で、組織ブロックＢ１をスライスする点では第一の方法と同様であるが、得られるシート状の組織片ｔ１はロール形状であるか否かを問わない。スライス工程にて得られたシート状の組織片ｔ１は、成形工程にて巻き回してロール形状に成形する。たとえば、スライス工程にて、第一の方法で得られるものと同様のロールの組織片ｔ２を得た後に、成形工程にて、それを引き伸ばし、更に密に巻き回してロール形状に成形しても良い。これにより、組織の集積度を高めることができる。また、巻き回らない程度の厚みでスライスし、平面形状としたものや、多少の湾曲を示す形状としたものをロール形状に成形しても良い。【００４０】
この組織片作製方法によれば、一点に力を集中させるパンチングと比較して必要な力も小さくて済み、組織の硬度による影響も少ない。組織ブロックが硬すぎてスライス手段１が破損したりスライスできないこともほとんどなく、組織ブロックの硬度に応じて力加減が必要なパンチングのように熟練技術を要することもない。組織ブロックは組織片ｔ１採取後も様々な検査や解析に用いられるが、非常に薄いシート状の組織片ｔ１が組織ブロックＢ１表面から満遍なく採取されるため、厚み方向に一点を打ち抜くパンチングと比較して、組織片採取後の利用への影響も少ない。【００４１】
また、上記の組織片作成方法にて得られるロール形状の組織片ｔ２は、軸ｂ方向の最大長が組織ブロックＢ１の幅と同等となる。これにより、たとえ組織ブロックＢ１の厚みが薄くても、組織ブロックＢ１の幅が十分であれば、相当数の組織アレイチップを作製可能な長さの組織片ｔ２を得ることができる。【００４２】
なお、組織ブロックＢ１にて関心部分が特定されている場合は、事前処理として関心部分を囲むように組織ブロックＢ１に切り込みを入れ、その後にスライス工程を実施することで、関心部分のみから成る組織片ｔ２を作製しても良い。また、巻き回し終了後は、ロール形状の組織片ｔ２を加熱してパラフィンを溶融させた後に冷却して固化することが好ましい。これにより、組織片ｔ３のロール形状を安定させることができ、取り扱いも容易となる。【００４３】
（第１の組織アレイブロック作製方法）
組織アレイブロック作製方法Ｐ２は二通りある。第１の方法Ｐ２−１は、上記組織片作製方法Ｐ１の後工程として、切断工程（図１（ｃ１））と、挿入工程（図１（ｄ１）（ｅ１））とを備える。【００４４】
切断工程では、ロール形状に成形した組織片ｔ２を軸ｂ方向で所定の長さとなるように切断する（図１（ｃ１））。切断位置は、所望の長さや部位の組織片ｔ３が得られるように調整すれば良い。好ましくは、切断後の組織片ｔ３の長さは、後述する基体ブロックＢ２に配列する空孔ｈに組織片ｔ３が隙間なく充填されるように、空孔ｈの軸方向の長さと同一か若しくはそれ以上に長くする。組織片ｔ２に関心部位が含まれる場合は、その関心部位を抽出するように切断しても良い。その際には、まず組織ブロックＢ１の表面における関心部位を特定し、その関心部位に対応する部位を抽出するように組織片ｔ２を切断する。【００４５】
挿入工程では、所定の長さに切断された組織片ｔ３を基体ブロックＢ２に配列する空孔ｈに軸ｂ方向で挿入する(図１(ｄ１))。基体ブロックＢ２は、アレイ状に複数の円筒形状の空孔ｈが配列するブロックである。この空孔ｈは、別工程にてパンチング等により形成されている。基体ブロックＢ２は、表面をシート状にスライス可能な材料で構成されていれば良く、例えばパラフィンブロックである。空孔ｈごとに、異なる組織ブロックＢ１から得られた組織片ｔ３を挿入しても良いし、同じ組織ブロックＢ１から得られた組織片ｔ３を挿入しても良い。【００４６】
（第２の組織アレイブロック作製方法）
第２の方法Ｐ２−２は、上記組織片作製方法Ｐ１の後工程として、事前工程（図１（ｃ２）の後に、挿入工程（図１（ｄ２））と、切断工程（図１（ｅ２））とを備える。以下、第１の組織アレイブロック作製方法との相違点のみを記載する。事前工程において、組織片ｔ２の一端又は両端を切断して組織片ｔ３とする（図１（ｃ２））。挿入工程では、組織片ｔ３を基体ブロックＢ２の空孔ｈに切断した側から軸ｂ方向で挿入する（図１（ｄ２))。そして、切断工程では、空孔ｈに挿入された状態の組織片ｔ３を軸ｂ方向で所定の長さとなるように切断する（図１（ｅ２））。切断位置は基体ブロックＢ２の略表面位置とし、切断後の組織片ｔ３が空孔ｈを充填することが好ましい。【００４７】
いずれの作製方法においても、組織片ｔ３を基体ブロックＢ２に挿入した後に、組織片ｔ３を基体ブロックＢ２に固定することが好ましい。たとえば、組織片ｔ３を空穴ｈに挿入した状態にて、基体ブロックＢ２を加温してパラフィンを溶解させたり、或いは、空孔ｈに溶解状態のパラフィンを充填し、その後にパラフィンを固化させる。【００４８】
（組織アレイブロック）
上記第１の組織アレイブロック作製方法、又は、第２の組織アレイブロック作製方法により、組織アレイブロックＢ３が作製される（図１（ｆ））。組織アレイブロックＢ３は、基体ブロックＢ２に配列する各空孔ｈ，，，ｈに、シート状にして巻き回されたロール形状の組織片ｔ３を保持したものとなる。切断工程において組織片３ｔが所定の長さに切断されているため、組織アレイブロックＢ３に配列する組織片ｔ３は所定の長さに揃えられた状態となる。組織片ｔ３が空孔ｈの深さと同一又はそれ以上の長さに切断されている場合は、空孔ｈ内に組織片ｔ３が充填されるため、更に好ましい。また、非常に薄いシート状の組織片ｔ１をロール形状として埋め込むため、パンチングにより円柱状のコアを採取する場合と比較して、組織ブロックＢ１からの組織採取量に対する組織アレイチップＣ１の製造枚数を増加させることができる。【００４９】
（組織アレイシートの作製方法）
図２は、本実施の形態の組織アレイシート作製方法Ｐ３と組織アレイチップ作製方法Ｐ４を説明する説明図である。組織アレイシート作製方法Ｐ３は、上記組織アレイブロック作製方法Ｐ２の後工程として、組織アレイブロックスライス工程（図２（ａ））を備える。【００５０】
組織アレイブロックスライス工程では、組織アレイブロック作製方法Ｐ２−１又はＰ２−２により作製された組織アレイブロックＢ３を、組織片ｔ３の断面がスパイラル（螺線）形状となる方向、すなわち、組織片３ｔの軸ｂと交差する方向でスライスする（図２（ａ））。これにより、スパイラル（螺線）形状の組織片ｔ４が複数配列する組織アレイシートＳ１が作製される（図２（ｂ））。【００５１】
組織アレイチップ作製方法Ｐ４は、組織アレイシートＳ１をスライドガラスやナイロン膜等の基板上にマウントする工程を備える（図２（ｃ））。これにより、スパイラル形状の組織片ｔ４が配列した組織アレイチップＣ１が作製される。上記組織アレイブロックＢ３を用いるため、たとえ組織ブロックＢ１の厚みが薄くても、十分な枚数の組織アレイチップＣ１が作製される。【００５２】
図３（ａ）は従来のパンチングによる組織アレイブロックＢから組織アレイチップＣを作製した状態と、本実施の形態の組織アレイブロックＢ３から組織アレイチップＣ１を作製した状態を比較する説明図であり、（ｂ）は両組織アレイブロックＢ，Ｂ３から関心部位ａの組織アレイチップＣ，Ｃ１を作製した状態を比較する説明図である。従来の組織アレイブロックＢは、コアに含まれる組織ｔ部分や関心部位ａの長さが不揃いなため、スライスする位置Ｌ１〜Ｌ３によっては組織アレイチップＣにて組織片や関心部位の欠損が発生する。本実施の形態の組織アレイブロックＢ３は、組織片ｔ３や関心部位ａの長さが揃えられているため、いずれの位置Ｌ１〜Ｌ３でスライスしても組織アレイチップＣ１に組織片ｔ３や関心部位ａの欠損が生じない。【００５３】
図４（ａ）は、従来のパンチングによる組織アレイチップＣ上のコアと、組織ブロックＢ１の採取領域ｄとの対応を説明する図であり、（ｂ）は本実施の形態の組織アレイチップＣ１上のスパイラル形状の組織片ｔ４と組織ブロックの採取領域ｄとの対応関係を示す図である。従来のパンチングによる場合は、コアは非常に偏った領域ｄから採取される。これに対して、スパイラル形状の組織片ｔ４は、組織ブロックＢ１を横断するような分散した領域ｄから採取されるため、一点をパンチングする従来技術と比較して、検査における信頼性や解析精度を高めることができる。【００５４】
また、図４（ａ）に示すように、従来のパンチングによると、コア内の位置と組織ブロックＢ１の採取領域ｄ内の位置との対応が不明確となる。このため、例えばコア内に関心領域ａが存在する場合でも、その関心領域ａが組織ブロックＢ１内のどこに位置していたのか特定が困難となる。これに対して、図４（ｂ）に示すように、本実施の形態では、組織アレイチップ上の組織片ｔ４と、切断後の組織片ｔ３と、切断前の組織片ｔ２と、組織ブロックＢ１との対応関係を把握しておく。図中矢印Ａはロール成形工程における巻き回し方向であり、組織片ｔ４の内側端部ｄ（ｓｔａｒｔ）は巻き回し開始側、外側端部ｄ（ｅｎｄ）は巻き回し終端側である。この対応関係を把握しておけば、組織片ｔ４内の位置と組織ブロックＢ１内の位置の対応付けが可能となる。【００５５】
（実施態様）
病変組織等の関心部位の有無を検査する場合は、次の通りに実施する。検査対象となる組織ブロックＢ１を用いて上記各方法により組織アレイチップＣ１を作製する。組織アレイチップＣ１に含まれる組織片ｔ２は、組織ブロックの一端から他端までの分散した範囲で採取されたものであるため、一点をパンチングする従来技術と比較して、検査の信頼性を高めることができる。組織アレイチップＣ１に含まれる組織片ｔ４に関心部位が発見された場合は、組織片ｔ４と組織ブロックＢ１を対応させて、組織ブロックＢ１における関心部位の位置を特定することもできる。【００５６】
また、すでに組織ブロックＢ１にて発見されている病変組織等の関心部位を標的として組織アレイチップＣ１に含めたい場合は、次の通りに実施する。事前処理として、組織ブロックＢ１の表面をスライスして得られる組織片で組織チップを作製し、染色等により関心部位の位置を特定する。つぎに、この組織チップと組織ブロックＢ１とを対比させ、組織ブロックＢ１の関心部位に対応する領域を特定し、そこを囲むように切り込みを入れる。そして、上記組織ブロックスライス工程とロール成形工程を実施してロール形状の組織片ｔ２を作製する。組織片ｔ２は、関心部位のみから成る組織片ｔ２となる。この組織片ｔ２を用いて、切断工程と挿入工程を実施し、組織アレイブロックＢ３を作製する。組織アレイブロックＢ３には関心部位から成る組織片ｔ３が充填されており、組織アレイチップＣ１を作製するに際して関心部位が欠損する事態を防止できる。組織ブロックＢ１の関心部位内の位置と、組織片ｔ４内の位置とを対応させることも可能である。関心部位は分散した範囲から採取されるので、ヘテロジナイティをカバーして解析精度が向上する。なお、組織ブロック表面全体から組織片ｔ２を作製したときは、切断工程にて組織片ｔ３を切断するに際して、事前処理の組織チップとロール形状の組織片ｔ２とを対応させ、関心部位に対応する部位が抽出されるように組織片ｔ２を切断すれば良い。【００５７】
（組織片作製機構）
図５は本実施の形態の組織片作製機構Ｓｙｓ１を説明する説明図である。組織片作製機構Ｓｙｓ１は、上記ロール形状の組織片ｔ２を作製するのに好適な機構である。組織片作製機構Ｓｙｓ１は、少なくともスライス手段１と、ロール成形手段２とを備える。【００５８】
スライス手段１は、組織ブロックＢ１の表面をスライスしてロール形状の組織片ｔ１を作製する機能を有し、例えばカッター等である。スライス手段１は、組織ブロックＢ１との相対的な位置変化に応じて組織ブロックＢ１の表面を所望の厚みでスライス可能となっている。本実施の形態では、スライス手段１は固定部材１ａに取り付けられて固定されており、固定する位置や角度を調整することにより、シート状の組織片ｔ１の厚みを調整可能となっている。そして、組織ブロックＢ１を搬送する搬送手段３に組織ブロックＢ１が載置され、スライス手段１に対して組織ブロックＢ１をスライドさせることで、組織ブロックＢ１の表面がスライスされる。なお、組織ブロックＢ１を固定してスライス手段１をスライドさせても良い。【００５９】
本実施の形態では、組織ブロックＢ１としてパラフィン包埋組織ブロックを用いているため、スライス手段１により組織ブロックＢ１をスライスすると、シート状の組織片ｔ１が表面を内側にして逐次巻き回る。スライス手段１の付近にはスライス手段１の幅方向に沿って軸状のガイド部材４が配されており、スライスにより生成されたシート状の組織片ｔ１は逐次ガイド部材４に巻き付くようになっている。なお、ガイド部材４は、スライス手段１との相対位置が一定となるように、図示しない固定部材にて固定されている。【００６０】
さらに組織片ｔ１を密に巻き回すためのロール成形手段を備えても良い。ロール形成手段は、例えば、ガイド部材４を回転及び温度調整可能とすることにより実現される。シート状の組織片ｔ１の端部が接すると同時にガイド部材４の温度を上昇させてパラフィンを溶融させ、その後に温度を下降させることによりパラフィンを固化させて組織片ｔ１の端部をガイド部材４に接着させ、その状態でガイド部材４を回転させて組織片ｔ１を密に巻き回す。巻き回し過程でも温度調整を行い、組織片ｔ１を成形容易な硬さとしても良い。巻き回しが終了した時点で再度ガイド部材４の温度を上昇下降させて含有パラフィンを溶融固化し、ロール形状を安定させても良い。【００６１】
図６は、組織片作製機構Ｓｙｓ１の動作を説明する説明図である。搬送手段３は組織ブロックＢ１が載置されると、切断手段１側に組織ブロックＢ１を搬送する（図６（ａ））。切断手段１は、搬送されてきた組織ブロックＢ１をスライスし、シート状の組織片ｔ１を作製する（図６（ｂ））。スライス手段１は、作製される組織片ｔ１をガイド部材４に逐次巻き付け、ガイド部材４を軸としてロール形状の組織片ｔ２を作製する（図６（ｃ））。その後、ロール成形手段により密に巻き回しても良い。【００６２】
（組織アレイブロック作製機構）
図７は本実施の形態の組織アレイブロック作製機構Ｓｙｓ２を説明する説明図である。組織アレイブロック作製機構Ｓｙｓ２は、上記組織片作製機構Ｓｙｓ１の各手段に加えて、切断手段５と挿入手段６を備える。【００６３】
切断手段５は、ロール形状の組織片ｔ２を設定された位置で切断する機能を備える。たとえば、切断手段５は、ガイド部材４側に刃先を有するカッターであり、ガイド部材４の軸方向と交差する方向にスライドし、且つ、ガイド部材４の軸方向に移動可能なように、センサからの情報やプログラム等に基づいて位置制御が可能となっている。【００６４】
挿入手段６は、ロール形状の組織片ｔ２を、基体ブロックＢ２に配列する空孔ｈに軸方向で挿入する機能を備える。たとえば、挿入手段６は、ガイド部材４に巻き回されたロール形状の組織片ｔ２をガイド部材４に沿ってスライドさせるスライド手段６ａと、基体ブロックＢ２を保持して３軸方向で位置決めする位置決め手段６ｂとにより実現される。スライド手段６ａは、ガイド部材４が挿通された筒状部材であり、ガイド部材４に沿って所望の位置にスライドするよう制御可能となっている。位置決め手段６ｂは、ガイド部材４側の面に基体ブロックＢ２を固定可能であり、基体ブロックＢ２をセンサからの情報やプログラム等に基づいてＸＹＺ方向に位置決めする機能を備える。【００６５】
図８は、組織アレイブロック作製機構Ｓｙｓ２の動作を説明する説明図である。組織片作製機構による組織片作製の結果、組織片ｔ２はガイド部材４に巻き回された状態となっている（図８（ａ））。スライド手段６ａは、ガイド部材４に沿ってスライドし、組織片ｔ２に接する面６ｃにて組織片ｔ２を設定位置まで移動させる（図８（ｂ））。設定位置は、組織片ｔ２の端のパラフィン部分がガイド部材２の先端から突出する位置となっている。切断手段５を位置決めした後にスライドさせて、組織片ｔ２の突出部分を切断する（図８（ｃ））。これにより、パラフィン部分が切り落とされ、組織片ｔ２の端部が揃えられる。つぎに、位置決め手段６ｂが、基体ブロックＢ２の所望の空孔ｈがガイド部材４に対峙するように位置決めし、ガイド部材４方向に移動して所望の空孔ｈに組織片ｔ２を挿入させる（図８（ｄ））。空孔ｈからガイド手段４を引き抜いた後、切断手段５をスライドさせて組織片ｔ２を切断する（図８（ｅ））。その結果、組織アレイブロックＢ２の空孔ｈに切断後の組織片ｔ３が挿入された状態となる（図８（ｆ））。【００６６】
なお、各空孔ｈ，，，ｈに異なる組織ブロックＢ１から採取した組織片を挿入する場合は、複数の組織アレイブロック作製機構Ｓｙｓ２を並列に配置し、すべての組織アレイブロック作製機構Ｓｙｓ２に対して一つの位置決め手段４ｂを設ける。そして、位置決め手段４ｂにより、基体ブロックＢ２を各組織アレイブロック作製機構Ｓｙｓ２に対して位置合わせし、各組織アレイブロック作製機構Ｓｙｓ２を上記と同様に機能させる。【００６７】
また、上記組織アレイブロック作製機構Ｓｙｓ２は、上記第２の組織アレイブロック作製方法を実現するものであるが、上記第１の組織アレイブロック作製方法を実現する機構としても良い。その場合は、別途、切断手段５により切断された組織片ｔ３を把持する把持手段を備え、切断手段により組織片ｔ２を所定の長さに切断した後に、把持手段によりそれを把持して基体ブロックＢ２に挿入するようにする。また、上記実施の形態では、基体ブロックＢ２の空孔ｈの形成を別体のパンチング機構にて行い、空孔ｈと組織片ｔ３との位置決めを位置決め手段６ｂにより行っているが、本機構Ｓｙｓ２に基体ブロックＢ２にパンチング手段とガイド部材とを両手段が同軸となるように設置し、パンチング手段により基体ブロックＢ２に空孔ｈを形成した後に、そのままの位置で挿入手段により組織片ｔ３を挿入するようにして、組織片ｔ３と空孔ｈとの位置決めを簡単化しても良い。【００６８】
また、組織アレイブロック作製機構Ｓｙｓ２には、空孔ｈに挿入された組織片ｔ３を基体ブロックＢ２に固定する固定手段を設けることが好ましい。固定手段としては、例えば、組織片ｔ３を挿入した状態にて、基体ブロックＢ２を加熱・冷却したり、溶解状態のパラフィンを充填・固化する機能を備えるものである。たとえば、位置決め手段６ｂに温度調整機能を設け、基体ブロックＢ２の一面に接するように基体ブロックＢ２を保持した状態にて温度調整を行い、基体ブロックＢ２を加温・冷却を可能としても良い。【００６９】
（組織アレイシート作製機構Ｓｙｓ３）
組織アレイシート作製機構Ｓｙｓ３は、上記組織アレイブロック作製機構Ｓｙｓ２の各手段に加え、更に組織アレイブロックＢ３をスライスするスライス手段７を備える。図９は組織アレイシート作製機構Ｓｙｓ３を機能的に説明する説明図である。【００７０】
スライス手段７は、組織アレイブロックＢ３を、空孔ｈに挿入された組織片ｔ３の断面がスパイラル形状となる方向でスライスする機能を備える。スライス手段７は、例えば組織アレイブロックＢ３と同程度の幅の刃先を有するカッター等である。組織アレイブロックＢ３と接する位置や角度は調整可能となっており、これを調整することにより組織アレイシートｔ４の厚みを調整可能となっている。【００７１】
組織アレイブロック作製機構Ｓｙｓ２による組織アレイブロック作製が終了すると、位置決め手段７には組織アレイブロックＢ３が載置された状態となっている（図９（ａ））。位置決め手段７により、組織アレイブロックＢ３の組織片ｔ３配列面がスライス手段７に接するように位置決めし、スライス手段７側にスライドさせることにより、組織アレイブロックＢ３の組織片ｔ３配列面の表面をスライスする（図９（ｂ））。これにより、組織アレイシートＳ１を作製することができる（図９（ｃ））。そして、この組織アレイシートＳ１を基板上にマウントすることで組織アレイチップＣ１が作製される。【００７２】
（実施例）
上記実施の形態による上記実施の形態の作製方法を実施し、組織アレイチップを作製した。使用した組織は中皮種組織であり、これをパラフィンに包埋してパラフィン包埋組織ブロックを作製し、組織ブロックとした。また、パラフィンブロックにアレイ状に空孔ｈを設け、これを基体ブロックとした。【００７３】
（スライス工程及びロール成形工程）カッターにより組織ブロックをスライスしてシート状の組織片ｔ１を作製すると同時に組織片ｔ１を巻き回してロール形状の組織片ｔ２を作製した。シート状の組織片ｔ１の厚みは成形や観察の容易さから約５０〜１００μｍとし、ロール形状の組織片ｔ２の直径は組織アレイチップにおける集積度の観点から約１ｍｍ〜２．５ｍｍとした。（切断工程）このロール形状の組織片ｔ２を空孔の深さと一致する長さに切断し、組織片ｔ３を作製した。（挿入工程）切断後の組織片ｔ３を基体ブロックの空孔に挿入した。組織ブロックを異ならせて上記工程をくり返し、異なる組織ブロックから採取した複数の組織片ｔ３を保持する組織アレイブロックを作製した。この組織アレイブロックをカッターによりスライスして組織アレイシートを作製した。そして、この組織アレイシートをスライドガラスにマウントして組織アレイチップとし、免疫染色を施した。【００７４】
図１０（ａ）は本実施例の組織アレイチップを示す図であり、（ｂ）は従来のパンチングによる組織アレイチップを示す図である。従来の組織アレイチップは、組織片がアレイ状に配列していなければならいところ、図中破線内に見られるように非常に多くの組織片が欠損している。また、各組織片は円形であるところ、矢印に示すように組織片の一部が欠損しているものも多く見られる。これに対して、本実施例の組織アレイチップによれば、スパイラル形状の組織片ｔ４がアレイ状に複数配列した組織アレイチップが得られた。組織アレイチップには組織片ｔ４がほぼ欠損することなく出現し、パンチングによるコア採取の方法と比較して非常に高い効果が得られた。【００７５】
図１０（ｃ）は本実施例により作製した組織アレイチップ上の組織片ｔ４の拡大図であり、（ｄ）は従来のパンチングによるコア採取方法により作製した組織アレイシート上の組織片の拡大図である。従来の組織片は円形であり、偏った範囲から採取されている。これに対して、本実施例の組織片ｔ４はスパイラル形状であり、分散した領域から広く組織片が採取されている。【００７６】
図１０（ｅ）は本実施例の組織アレイチップに出現したスパイラル形状の組織片ｔ４の一部拡大図である。矢印が指し示す位置に関心部位が含まれている。従来のパンチングによるコアの採取によると、この関心部位はパンチングにより採取される一点に含まれなければ発見されなかったものである。これに対して、本実施例では組織片ｔ４がスパイラル形状となっており、従来よりも分散した範囲から組織片ｔ４が採取され、かかる関心領域を発見する確率を高めることができたものであり、非常に高い効果が得られた。【００７７】
なお、本実施の形態では、パラフィン包埋組織ブロックを例に説明したが、用いる組織ブロックはこれに限られない。たとえば、組織を凍結させた凍結組織ブロックを用いても良い。この場合、パラフィンに代えてコンパウンドと称される包埋剤を用いる。組織をコンパウンドに埋め込んだ状態にて凍結し、凍結状態を維持可能な冷却環境にて上記各方法を実施することが好ましい。用いられる組織も生体組織であれば限定されない。また、上記各方法や機構は、本発明の目的の範囲内で適宜変更可能である。
【図面の簡単な説明】
【００７８】
【図１】本実施の形態の組織片作製方法、組織ブロック作製方法、組織アレイブロックを説明する説明図である。
【図２】本実施の形態の組織アレイシート作製方法を説明する説明図である。
【図３】従来の組織アレイチップと本実施の形態の組織アレイチップを比較する説明図である。
【図４】従来の組織アレイチップと本実施の形態の組織アレイチップを比較する説明図である。
【図５】本実施の形態の組織片作製機構を説明する説明図である。
【図６】本実施の形態の組織片作製機構の動作を説明する説明図である。
【図７】本実施の形態の組織アレイブロック作製機構を説明する説明図である。
【図８】本実施の形態の組織アレイブロック作製機構の動作を説明する説明図である。
【図９】本実施の形態の組織アレイシート作製機構を機能的に説明する説明図である。
【図１０】本実施例の組織アレイチップと従来の組織アレイチップとを比較する写真である。
【図１１】従来の組織アレイチップ作製方法を説明する説明図である。
【図１２】従来の組織ブロック、組織アレイブロック、組織アレイチップを説明する説明図である。
【図１３】従来の関心部位を標的とするときの組織ブロック、組織アレイブロック、組織アレイチップを説明する説明図である。
【図１４】従来のコアに含まれる関心部位と組織ブロック表面の関心部位との対応関係を説明する説明図である。
【符号の説明】
【００７９】
ｔ１  シート状の組織片、ｔ２  ロール形状の組織片、ｔ３  切断後の組織片、ｔ４  スパイラル形状の組織片、Ｂ１  組織ブロック、Ｂ２  基体ブロック、Ｂ３  組織アレイブロック、Ｓ１  組織アレイシート、Ｃ１  組織アレイブロック、ｔ  組織、ａ  関心部位、ｄ  採取領域、ｈ  空孔、Ｓｙｓ１  組織片作製機構、Ｓｙｓ２  組織アレイブロック作製機構、Ｓｙｓ３  組織アレイシート作製機構、１  切断手段、３  搬送手段、４  ガイド部材、５  切断手段、６  挿入手段、６ａ  スライド手段、６ｂ  位置決め手段、６ｃ  スライド手段の側面、７  スライス手段
【図１】
2008108410.tif 000003
【図２】
2008108410.tif 000004
【図３】
2008108410.tif 000005
【図４】
2008108410.tif 000006
【図５】
2008108410.tif 000007
【図６】
2008108410.tif 000008
【図７】
2008108410.tif 000009
【図８】
2008108410.tif 000010
【図９】
2008108410.tif 000011
【図１０】
2008108410.tif 000012
【図１１】
2008108410.tif 000013
【図１２】
2008108410.tif 000014
【図１３】
2008108410.tif 000015
【図１４】
2008108410.tif 000016
【国際調査報告】
2008108410.tif 000017
2008108410.tif 000018
2008108410.tif 000019
2008108410.tif 000020